【事件の表示】
　特願２０１７−５０６０２１号「発光装置」拒絶査定不服審判事件〔平成２８年９月２２日国際公開、ＷＯ２０１６／１４７４８４号〕について、次のとおり審決する。
【結　論】
　本件審判の請求は、成り立たない。
【理　由】
１　手続の経緯
　本願は、平成２７年（２０１５年）１１月１７日（優先権主張　特願２０１５−５０９２７号　２０１５年３月１３日）を国際出願日とする出願であって、平成２９年８月２５日付けで手続補正がなされ、平成３０年８月２日付けで拒絶理由が通知され、同年９月２１日に意見書が提出されるとともに手続補正がなされたが、同年１１月１２日付け（送達日　同年同月２０日）で拒絶査定がなされ、これに対し、平成３１年２月１４日に拒絶査定不服審判請求がなされるとともに、これと同時に手続補正がなされた後、当審において、令和元年９月２６日付けで拒絶理由が通知され（以下「当審拒絶理由」という。）、同年１１月１５日付けで意見書が提出されるとともに手続補正がなされたものである。
　
２　本願発明
　本願の請求項に係る発明は、令和元年１１月１５日になされた手続補正後の特許請求の範囲の請求項１ないし５に記載された事項により特定されるものと認められるところ、請求項１に係る発明は、次のとおりのものである。
「【請求項１】
　アノード用電極ランドと、
　カソード用電極ランドと、
　少なくとも第１の発光部、第２の発光部および第３の発光部を含む発光部と、
　前記アノード用電極ランドおよび前記カソード用電極ランドに接続して並列に設けられた３本以上の配線と、を備え、
　前記３本以上の配線は、第１の配線、第２の配線および第３の配線を含み、
　前記第１の発光部は、前記第１の配線上で直列に接続されるＬＥＤ素子を含み、
　前記第２の発光部は、前記第２の配線上で直列に接続されるＬＥＤ素子を含み、
　前記第３の発光部は、前記第３の配線上で直列に接続されるＬＥＤ素子を含み、
　前記第１の発光部、前記第２の発光部および前記第３の発光部は、それぞれ異なる色温度の光を発し、
　前記３本以上の配線の内、少なくとも前記第１の配線および前記第２の配線は前記発光部の外側に配置された固定抵抗を有し、
　前記第１の配線に配置された固定抵抗の抵抗値は、前記第２の配線に配置された固定抵抗の抵抗値と同じか、または小さい値であり、
　前記３本以上の配線の内、少なくとも前記第１の配線、前記第２の配線および前記第３の配線は、それぞれ異なる順電流−順電圧特性を有し、それぞれ前記第１の発光部、前記第２の発光部および前記第３の発光部に接続され、
　前記発光部全体の発する光の色温度を調整可能であり、
　前記第１の発光部に含まれる前記ＬＥＤ素子の直列個数Ｎ１、前記第２の発光部に含まれる前記ＬＥＤ素子の直列個数Ｎ２、前記第３の発光部に含まれる前記ＬＥＤ素子の直列個数Ｎ３は全て異なり、前記Ｎ１、前記Ｎ２、および前記Ｎ３の値は、Ｎ１：Ｎ２：Ｎ３＝（ｎ−２）：（ｎ−１）：ｎ（３≦ｎ≦８）を満たし、
　前記発光部全体の発する光の色温度は、印加電流が大きくなるに従い、低色温度から高色温度に向かって、色度座標上において黒体軌跡に沿った曲線で変化することを特徴とする、
　発光装置。」（以下「本願発明」という。）
　
３　引用文献の記載及び引用発明
（１）当審拒絶理由に引用した、本願の優先日前に電気通信回線を通じて公衆に利用可能となつた、国際公開第２０１１／００４７９６号（以下「引用文献」という。）には、以下の記載がある（下線は当審にて付した。以下同じ）。
（ア）「技術分野
［０００１］　本発明は、白色光の色温度を良好に制御することができる発光装置に関するものである。」
　
（イ）「［００１７］　本実施形態に係る
発光装置１
電源２と、第１のＬＥＤ素子３２１及び第２のＬＥＤ素子３２２を具備するＬＥＤパッケージ３と、これらのＬＥＤ素子３２１、３２２それぞれに接続された可変抵抗４１、４２と、制御装置５と、を備え
［００１８］　以下に各部を詳述する。
　電源２は、その電圧が第１のＬＥＤ素子３２１及び第２のＬＥＤ素子３２２の降下電圧より大きいものである。
［００１９］　ＬＥＤパッケージ３は、図２及び図３に示すように、上端面３１１に開口する凹部３１２を有した基体３１と、凹部３１２の底面３１３に実装された第１のＬＥＤ素子３２１及び第２のＬＥＤ素子３２２と、これらＬＥＤ素子３２１、３２２を封止する透光性部材３４と、蛍光体を含有する波長変換部材３５と、を備えたものである。
［００２０］　基体３１は、上端面３１１に開口する凹部３１２を有するものであり、例えば、アルミナや窒化アルミニウム等の熱伝導率が高い絶縁材料を成型してなるものである。
［００２１］　このような
基体３１は、その凹部３１２の底面３１３に
ＬＥＤ素子３を実装するものであ
当該底面３１３には、ＬＥＤ素子３が電気的に接続されるための配線導体
が形成され
この配線導体が基体３１内部に形成された配線層
を介して発光装置１の外表面に導出されて外部電気回路基板に接続されることにより、ＬＥＤ素子３と外部電気回路基板とが電気的に接続され
（・・・途中省略・・・）
［００２４］　
第１のＬＥＤ素子３２１及び第２のＬＥＤ素子３２２は、互いに異なる放射ピークを有するものであり、
各ＬＥＤ素子３２１、３２２とも３個ずつ使用して、同一基体３１の凹部３１２底面３１３上に
配置し
（・・・途中省略・・・）
［００２９］　
可変抵抗４１、４２は、３つの端子を有し、両端の端子間の抵抗は一定で、軸を回すことにより、中央の端子と両端の端子間の抵抗値が変わるように構成してあるものであり、
　
（ウ）「［００３４］　次に発光装置１を用いてＬＥＤパッケージ３が発する白色光の色温度及び光量を調節する方法を図４のフローチャートを参照して説明する。
［００３５］　まず、オペレータがダイヤルを回すことにより所定の色温度値を有する色温度データを入力し（ステップＳ１）、当該色温度データを色温度受付部５１が受け付ける（ステップＳ２）。
［００３６］　同様に、オペレータがダイヤルを回すことにより所定の光量値を有する光量データを入力し（ステップＳ３）、当該光量データを光量受付部５２が受け付ける（ステップＳ４）。
［００３７］　
電流制御部５３は、色温度受付部５１から色温度データを、光量受付部５２から光量データを、それぞれ取得して、当該色温度データ及び光量データに基づき、所定の演算処理を行うことにより、各ＬＥＤ素子３２１、３２２に流れる電流値の比Ｉ
１
：Ｉ
２
と、各ＬＥＤ素子３２１、３２２に流れる電流の総流量値Ｉ
１
＋Ｉ
２
を算出し、更にこれより各可変抵抗４１、４２の抵抗値Ｖ
１
、Ｖ
２
を算出し、当該抵抗値Ｖ
１
、Ｖ
２
を有する制御信号を生成し、各可変抵抗４１、４２に出力
［００３８］　各可変抵抗４１、４２は制御信号を受信し、その抵抗値Ｖ１、Ｖ２を制御信号に従い変更する（ステップＳ６）。
［００３９］　各可変抵抗４１、４２の抵抗値Ｖ１、Ｖ２が変更されると、各ＬＥＤ素子３２１、３２２に流れる電流値Ｉ１、Ｉ２が変動し、各ＬＥＤ素子３２１、３２２が発する光量値が変動する（ステップＳ７）。
［００４０］　この結果、
ＬＥＤパッケージ３が発する白色光の色温度及び光量が制御され
［００４１］　このような実施形態に係る発光装置１であれば、
同一基体３１に実装された２種類のＬＥＤ素子３２１、３２２から発せられた異なる波長の紫外線又は短波長の可視光線が、同一の波長変換部材３５で変換されるので、色温度の異なる２種類の白色光
同一パッケージ３内で良好に混ざり合って、黒体軌跡
に沿って色温度が変化しうる自然な白色光を得ることができる
　
（エ）「［００４４］　なお、本発明は前記実施形態に限られるものではない。
（・・・途中省略・・・）
［００４８］　
ＬＥＤパッケージ３に用いられるＬＥＤ素子は
３種類
であってもよく、また、各種類のＬＥＤ素子の設置数は、それぞれ、１個ずつであっても、２個以上ずつであってもよ
［００４９］　また、
同種のＬＥＤ素子同士は、互いに直列に接続され
　
（２）引用発明
　上記（１）によれば、引用文献には、下記発明（以下「引用発明」という。）が記載されていると認められる。
「基体３１は、その凹部３１２の底面３１３にＬＥＤ素子３を実装するものであって、当該底面３１３には、ＬＥＤ素子３が電気的に接続されるための配線導体が形成され、この配線導体が基体３１内部に形成された配線層を介して発光装置１の外表面に導出されて外部電気回路基板に接続されることにより、ＬＥＤ素子３と外部電気回路基板とが電気的に接続され（［００２１］）、
　電源２と、第１のＬＥＤ素子３２１及び第２のＬＥＤ素子３２２を具備するＬＥＤパッケージ３と、これらのＬＥＤ素子３２１、３２２それぞれに接続された可変抵抗４１、４２と、制御装置５と、を備え（［００１７］）、
　前記ＬＥＤパッケージ３に用いられるＬＥＤ素子は３種類であって（［００４８］）、
　前記３種類のＬＥＤ素子は、互いに異なる放射ピークを有するものであり、前記各ＬＥＤ素子とも３個ずつ使用して、同一基体３１の凹部３１２底面３１３上に配置し（［００２４］）、
　同一基体３１に実装された３種類のＬＥＤ素子から発せられた異なる波長の紫外線又は短波長の可視光線が、同一の波長変換部材３５で変換されるので、色温度の異なる３種類の白色光を得ることができ（［００４１］）、
　前記３種類のＬＥＤ素子を具備するＬＥＤパッケージ３と、これらのうち前記第１のＬＥＤ素子３２１及び第２のＬＥＤ素子３２２それぞれに接続された可変抵抗４１、４２を備えたものであり（［００１７］）、
　前記可変抵抗４１、４２は、３つの端子を有し、両端の端子間の抵抗は一定で、軸を回すことにより、中央の端子と両端の端子間の抵抗値が変わるように構成してあるものであり（［００２９］）、
　電流制御部５３は、色温度受付部５１から色温度データを、光量受付部５２から光量データを、それぞれ取得して、当該色温度データ及び光量データに基づき、所定の演算処理を行うことにより、各ＬＥＤ素子３２１、３２２に流れる電流値の比Ｉ１：Ｉ２と、各ＬＥＤ素子３２１、３２２に流れる電流の総流量値Ｉ１＋Ｉ２を算出し、更にこれより各可変抵抗４１、４２の抵抗値Ｖ１、Ｖ２を算出し、当該抵抗値Ｖ１、Ｖ２を有する制御信号を生成し、各可変抵抗４１、４２に出力し（［００３７］）、
　前記ＬＥＤパッケージ３が発する白色光の色温度及び光量が制御され（［００４０］）、
　前記ＬＥＤパッケージ３に用いられる各種類のＬＥＤ素子の設置数は、それぞれ、１個ずつであっても、２個以上ずつであってよく（［００４８］）、
　同種のＬＥＤ素子同士は、互いに直列に接続され（［００４９］）、
　色温度の異なる３種類の白色光が同一パッケージ３内で良好に混ざり合って、黒体軌跡に沿って色温度が変化しうる自然な白色光を得ることができる（［００４１］）、
　発光装置１（［００１７］）。」
　
４　対比・判断
（１）対比
　本願発明と引用発明とを対比する。
（ア）引用発明の「配線導体」は「ＬＥＤ素子３が電気的に接続されるための配線導体が形成され、この配線導体が基体３１内部に形成された配線層を介して発光装置１の外表面に導出されて外部電気回路基板に接続されることにより、ＬＥＤ素子３と外部電気回路基板とが電気的に接続」されるものであるから、当該「発光装置１の外表面に導出されて外部電気回路基板に接続される」箇所は、本願発明の「アノード用電極ランド」及び「カソード用電極ランド」に相当する。
　
（イ）引用発明の「ＬＥＤパッケージ３」は「第１のＬＥＤ素子３２１及び第２のＬＥＤ素子３２２を具備」し、「ＬＥＤパッケージ３に用いられるＬＥＤ素子は３種類以上であってもよ」いものであるから、当該「ＬＥＤパッケージ３」の「第１のＬＥＤ素子３２１」の箇所、「第２のＬＥＤ素子３２２」の箇所、及び、３種類目のＬＥＤ素子の箇所は、本願発明の「少なくとも第１の発光部、第２の発光部および第３の発光部を含む発光部」に相当する。
　
（ウ）引用発明の「ＬＥＤパッケージ３」は、「用いられるＬＥＤ素子は３種類以上であってもよく、また、各種類のＬＥＤ素子の設置数は、それぞれ、１個ずつであっても、２個以上ずつであってよく」「同種のＬＥＤ素子同士は、互いに直列に接続され」るから、上記（ア）を踏まえると、引用発明の「配線導体」は並列に設けられた３本以上の配線であるということができる。
　したがって、引用発明の「ＬＥＤパッケージ３」は、「用いられるＬＥＤ素子は３種類以上であってもよく、また、各種類のＬＥＤ素子の設置数は、それぞれ、１個ずつであっても、２個以上ずつであってよく」「同種のＬＥＤ素子同士は、互いに直列に接続され」る「配線導体」は、本願発明の「前記アノード用電極ランドおよび前記カソード用電極ランドに接続して並列に設けられた３本以上の配線と、を備え、前記３本以上の配線は、第１の配線、第２の配線および第３の配線を含」む「配線」に相当する。
　
（エ）上記（ア）ないし（ウ）を踏まえると、引用発明の「ＬＥＤパッケージ３」の「第１のＬＥＤ素子３２１」の箇所、「第２のＬＥＤ素子３２２」の箇所、及び、３種類目のＬＥＤ素子の箇所は、それぞれ「配線導体」上で「互いに直列に接続され」る「２個以上ずつ」のＬＥＤ素子を含むといえるから、本願発明の「前記第１の発光部は、前記第１の配線上で直列に接続されるＬＥＤ素子を含み、前記第２の発光部は、前記第２の配線上で直列に接続されるＬＥＤ素子を含み、前記第３の発光部は、前記第３の配線上で直列に接続されるＬＥＤ素子を含」むことに相当する。
　
（オ）引用発明の「同一基体３１に実装された２種類のＬＥＤ素子３２１、３２２から発せられた異なる波長の紫外線又は短波長の可視光線が、同一の波長変換部材３５で変換されるので、色温度の異なる２種類の白色光を得ることができ」る点、及び、上記（ア）ないし（エ）を踏まえると、引用発明の「ＬＥＤパッケージ３」の「第１のＬＥＤ素子３２１」の箇所、「第２のＬＥＤ素子３２２」の箇所、及び、３種類目のＬＥＤ素子の箇所により、色温度の異なる３種類の白色光を得ることができると解されるから、本願発明の「前記第１の発光部、前記第２の発光部および前記第３の発光部は、それぞれ異なる色温度の光を発」することに相当する。
　
（カ）引用発明の「可変抵抗４１、４２」は「第１のＬＥＤ素子３２１及び第２のＬＥＤ素子３２２を具備するＬＥＤパッケージ３と、これらのＬＥＤ素子３２１、３２２それぞれに接続された」ものであるから、「ＬＥＤパッケージ３」の「第１のＬＥＤ素子３２１」の箇所、「第２のＬＥＤ素子３２２」の箇所、及び、３種類目のＬＥＤ素子の箇所の外に配置されたものであるということができるから、本願発明の「前記３本以上の配線の内、少なくとも前記第１の配線および前記第２の配線は前記発光部の外側に配置された固定抵抗を有」する点と、「前記３本以上の配線の内、少なくとも前記第１の配線および前記第２の配線は前記発光部の外側に配置された抵抗を有」する点で一致する。
　
（キ）引用発明の「可変抵抗４１、４２」は「両端の端子間の抵抗は一定で、軸を回すことにより、中央の端子と両端の端子間の抵抗値が変わるように構成してあるものであ」るから、「可変抵抗４１、４２」の抵抗値と同じ場合と、一方が他方より小さい値場合があるということができ、本願発明の「前記第１の配線に配置された固定抵抗の抵抗値は、前記第２の配線に配置された固定抵抗の抵抗値と同じか、または小さい値であ」ることと、「前記第１の配線に配置された抵抗の抵抗値は、前記第２の配線に配置された抵抗の抵抗値と同じか、または小さい値であ」ることの点で一致する。
　
（ク）引用発明の「各ＬＥＤ素子３２１、３２２に流れる電流値の比Ｉ１：Ｉ２と、各ＬＥＤ素子３２１、３２２に流れる電流の総流量値Ｉ１＋Ｉ２」は、「電流制御部５３」が、「色温度受付部５１から色温度データを、光量受付部５２から光量データを、それぞれ取得して、当該色温度データ及び光量データに基づき、所定の演算処理を行うことにより、各ＬＥＤ素子３２１、３２２に流れる電流値の比Ｉ１：Ｉ２と、各ＬＥＤ素子３２１、３２２に流れる電流の総流量値Ｉ１＋Ｉ２を算出し、更にこれより各可変抵抗４１、４２の抵抗値Ｖ１、Ｖ２を算出し、当該抵抗値Ｖ１、Ｖ２を有する制御信号を生成し、各可変抵抗４１、４２に出力」するものであるから、「ＬＥＤパッケージ３」の「第１のＬＥＤ素子３２１」の「配線導体」、「第２のＬＥＤ素子３２２」の「配線導体」、及び、３種類目のＬＥＤ素子の「配線導体」の順電流−順電圧特性はそれぞれ異なるということができ、本願発明の「前記３本以上の配線の内、少なくとも前記第１の配線、前記第２の配線および前記第３の配線は、それぞれ異なる順電流−順電圧特性を有し、それぞれ前記第１の発光部、前記第２の発光部および前記第３の発光部に接続され」ることに相当する。
　
（ケ）引用発明の「ＬＥＤパッケージ３」の「発する白色光の色温度及び光量が制御される」ことは、本願発明の「前記発光部全体の発する光の色温度を調整可能であ」ることに相当する。
　
（コ）引用発明の「発光装置１」は、「色温度の異なる２種類の白色光が同一パッケージ３内で良好に混ざり合って、黒体軌跡に沿って色温度が変化しうる自然な白色光を得ることができる」ところ、３種類目のＬＥＤ素子も同様であるから、本願発明の「前記発光部全体の発する光の色温度は、印加電流が大きくなるに従い、低色温度から高色温度に向かって、色度座標上において黒体軌跡に沿った曲線で変化する」ことと、「前記発光部全体の発する光の色温度は、印加電流が大きくなるに従い、低色温度から高色温度に向かって、黒体軌跡に沿った曲線で変化する」ことの点で一致する。
　
（サ）引用発明の「発光装置１」は、本願発明の「発光装置」に相当する。
　
（シ）以上（ア）ないし（サ）によれば、本願発明と引用発明とは、下記各点で相違し、その余の点で一致する。
　
〔相違点１〕
　抵抗が、本願発明では「固定抵抗」であるのに対して、引用発明は「可変抵抗」である点。
　
〔相違点２〕
　本願発明は、「前記第１の発光部に含まれる前記ＬＥＤ素子の直列個数Ｎ１、前記第２の発光部に含まれる前記ＬＥＤ素子の直列個数Ｎ２、前記第３の発光部に含まれる前記ＬＥＤ素子の直列個数Ｎ３は全て異なり、前記Ｎ１、前記Ｎ２、および前記Ｎ３の値は、Ｎ１：Ｎ２：Ｎ３＝（ｎ−２）：（ｎ−１）：ｎ（３≦ｎ≦８）を満た」すのに対して、引用発明は、このように特定されない点。
　
〔相違点３〕
　発光部全体の発する光の色温度が、低色温度から高色温度に向かって、黒体軌跡に沿った曲線で変化する際に、本願発明は、「色度座標上において」黒体軌跡に沿った曲線で変化するのに対して、引用発明は、このように特定されない点。
　
（２）判断
ア　相違点１について
　引用発明は、「電流制御部５３」が「色温度データ及び光量データ」に基づく制御を行うために各可変抵抗４１、４２を制御することで各ＬＥＤ素子３２１、３２２に流れる電流値の比Ｉ１：Ｉ２及び電流の総流量値Ｉ１＋Ｉ２の両方を制御するものであるところ、電流の総流量値Ｉ１＋Ｉ２のみで制御する場合は各可変抵抗４１、４２を特定の電流比の固定抵抗としてよく、引用発明において、可変抵抗４１、４２を特定の電流比の固定抵抗とすることに格別の困難性は認められない。
　
イ　相違点２について
　引用発明の「ＬＥＤパッケージ３に用いられるＬＥＤ素子」の「各種類のＬＥＤ素子の設置数は、それぞれ、１個ずつであっても、２個以上ずつであってよ」いから、適宜の数であってよいといえる。
　したがって、引用発明において、「ＬＥＤパッケージ３に用いられるＬＥＤ素子」の「各種類のＬＥＤ素子の設置数」を適宜の「全て異なる」数とすることは当業者が適宜なし得る設計的事項にすぎない。
　また、当業者が、３つの発光部のＬＥＤ素子の設置数を全て異なる数とする事項を実施するに際して、単に１つ違い（例えば、１：２：３、２：３：４等）として「Ｎ１：Ｎ２：Ｎ３＝（ｎ−２）：（ｎ−１）：ｎ（３≦ｎ）」とすることは、容易に想到し得たことにすぎない。
　そして、その数の上限を適宜の個数まで（ｎ≦８）とすることも設計的事項にすぎない。
　
ウ　相違点３について
　発光部全体の発する光の色温度が、低色温度から高色温度に向かって、黒体軌跡に沿った曲線で変化する際に、どのような座標上において黒体軌跡に沿った曲線で変化するかは、当業者が適宜選択し得ることであるところ、発光部全体の発する光の色温度が変化するものであるから、「色度座標上において」黒体軌跡に沿った曲線で変化する構成となすことに格別の困難性は認められない。
　
エ　本願発明の奏する効果について
　本願発明において、上記相違点１ないし３の構成となすことにより奏される効果も予測し得た程度のことにすぎない。
　
オ　小括
　したがって、本願発明は、引用発明に基づいて当業者であれば容易になし得たものであるから、特許法第２９条第２項の規定により特許を受けることができない。
　
（３）請求人の主張について
ア　請求人は、令和元年１１月１５日に提出した意見書の「【意見の内容】」の「（２）　特許法第２９条第２項」の文末において、
「引用文献１には、発光素子部に含まれるＬＥＤの数については、第１ＬＥＤの数として１２個（引用文献１の段落［００２６］）、８個（引用文献１の段落［００９１］）、第２ＬＥＤの数として６個（引用文献１の段落［００３７］）、８個（引用文献１の段落［００９１］）が記載されているのみです。
　したがって、『前記Ｎ１、前記Ｎ２、および前記Ｎ３の値は、Ｎ１：Ｎ２：Ｎ３＝（ｎ−２）：（ｎ−１）：ｎ（３≦ｎ≦８）を満たし、』との規定を含む補正後の請求項１に係る本願発明は、引用文献１に何ら開示、教示、示唆されたものではありません。
　以上のように、たとえ当業者であっても引用文献１の記載から本願発明を到底容易には想到し得るものではなく、補正後の本願発明は引用文献１に対し進歩性を有するものであって、特許法第２９条第２項の規定に該当するものではないと思量致します。」と主張する。
　
イ　しかしながら、当審拒絶理由における引用文献（国際公開第２０１１／００４７９６号）には、段落［００９１］はなく、また、段落［００２６］、［００３７］にも上記アに摘記したような、請求人の指摘した事項は記載されていない（請求人の言う「引用文献１」は、原査定の引用文献１（特開２０１５−３５５９８号公報）と思われる。）。
　したがって、請求人の上記意見書における主張は、引用文献の記載に基づくものとはいえず、採用できない。
　また、たとえ、請求人の主張が、当審拒絶理由における引用文献（国際公開第２０１１／００４７９６号）に基づくものであっても、上記「（２）」「イ」で検討したとおりであるから採用できない。
　
５　むすび
　以上のとおり、本願発明は、引用発明に基づいて当業者が容易に発明をすることができたものであり、特許法第２９条第２項の規定により特許を受けることができないものであるから、本願の他の請求項に係る発明について検討するまでもなく、本願は拒絶されるべきものである。
　
　よって、結論のとおり審決する。